(57)【要約】【課題】利用者の視聴要求の程度に沿ってコンテンツを記録媒体に記録し、その記録媒体に記録されたコンテンツを利用者の視聴要求の程度に沿って再生することができる記録再生装置を提供する。【解決手段】利用者の嗜好に関する嗜好情報を基に番組を選択的に取得し、記録媒体２００に記録する番組記録部３０１と、記録媒体２００に記録された各番組に関し、利用者が各コンテンツを再生した回数を計数する再生計数部３０２と、記録媒体２００に記録された各コンテンツの再生回数を順番決定基準として、記録媒体２００に記録された各コンテンツを自動的に再生するための自動再生順番を決定し、各コンテンツの自動再生順番を表わす順番情報を生成する順番情報生成部３０４と、を備える記録再生装置１である。【選択図】図１
2011216167.tif 000002
【特許請求の範囲】
【請求項１】
複数のコンテンツの中から利用者の嗜好に関する嗜好情報を基に選択的に取得し、自装置に対して着脱可能な記録媒体のコンテンツ記録領域に記録するコンテンツ記録部と、
前記コンテンツ記録部により前記記録媒体に記録された前記各コンテンツに関し、利用者が前記記録媒体から前記各コンテンツを再生した回数を計数する再生計数部と、
前記再生計数部により計数された前記各コンテンツの再生回数を前記記録媒体の回数記録領域に記録する回数記録部と、
前記回数記録部により前記記録媒体に記録された前記各コンテンツの再生回数を順番決定基準として、前記記録媒体に記録された前記各コンテンツを自動的に再生するための自動再生順番を決定し、前記各コンテンツの自動再生順番を表わす順番情報を生成する情報生成部と、
前記情報生成部により生成された前記順番情報を前記記録媒体の順番記録領域に記録する順番記録部と
を備えることを特徴とする記録再生装置。
【請求項２】
前記情報生成部は、前記再生回数に加え、さらに、前記嗜好情報を前記順番決定基準とすることを特徴とする請求項１に記載の記録再生装置。
【請求項３】
前記順番情報が予め記録された順番づけ済みの前記記録媒体が装着されたときに、前記記録媒体の前記順番記録領域から前記順番情報を検知する検知部をさらに備え、
前記検知部により検知された前記順番情報が表わす前記自動再生順番に従って、前記記録媒体の前記コンテンツ記録領域に記録された各コンテンツを自動的に再生することを特徴とする請求項１または２に記載の記録再生装置。
【請求項４】
前記順番情報を基に前記記録媒体の前記コンテンツ記録領域に記録された前記複数のコンテンツの少なくとも一部を選択し、その一部の各コンテンツを一意に特定する特定情報を前記記録媒体から取得する特定情報取得部と、
前記特定情報取得部により取得された前記特定情報を示す文字列を、前記利用者により前記記録媒体の表面から視認可能となるように、前記記録媒体に含まれる、情報を読み出すことのみ可能な情報記録層に記録する特定情報記録部と
をさらに備えることを特徴とする請求項１〜３のいずれか１項に記載の記録再生装置。
【請求項５】
請求項１〜４のいずれか１項に記載の記録再生装置に着脱可能な記録媒体であって、
前記記録媒体は、２層以上の情報記録層を含んでおり、前記各情報記録層の情報は、再生光によって読み出すことが可能となっており、
前記コンテンツ記録領域、前記回数記録領域および前記順番記録領域は、前記２層以上の情報記録層のいずれかに設けられていることを特徴とする記録媒体。
【請求項６】
前記情報生成部は、前記順番情報を生成するときには、前記記録媒体の順番情報生成アルゴリズム記録領域に予め記録された順番情報生成アルゴリズムを読み出し、当該順番情報生成アルゴリズムに従って前記順番決定基準を基に前記自動再生順番を決定しており、
前記順番情報生成アルゴリズム記録領域は、前記２層以上の情報記録層のいずれかに設けられていることを特徴とする請求項５に記載の記録媒体。
【請求項７】
前記コンテンツ記録部は、前記記録媒体の嗜好情報生成アルゴリズム記録領域に予め記録された嗜好情報生成アルゴリズムを読み出し、当該嗜好情報生成アルゴリズムに従って前記利用者からの入力情報を基に前記利用者の嗜好情報を生成しており、
前記嗜好情報生成アルゴリズム記録領域は、前記２層以上の情報記録層のいずれかに設けられていることを特徴とする請求項６に記載の記録媒体。
【請求項８】
前記２層以上の情報記録層のうち、少なくとも一層が、情報を読み出すことのみ可能な第１の情報記録層であり、前記第１の情報記録層とは異なる残りの情報記録層のうち、少なくとも一層が、情報を書き換えることが可能な、または、情報を追記録することのみ可能な第２の情報記録層であり、
前記コンテンツ記録領域、前記回数記録領域および前記順番記録領域は、前記第１の情報記録層に設けられており、
前記順番情報生成アルゴリズム記録領域および前記嗜好情報生成アルゴリズム記録領域は、前記第２の情報記録層に設けられていることを特徴とする請求項７に記載の記録媒体。
【請求項９】
複数のコンテンツの中から利用者の嗜好に関する嗜好情報を基に選択的に取得し、記録媒体のコンテンツ記録領域に記録するコンテンツ記録工程と、
前記コンテンツ記録工程にて前記記録媒体に記録された前記各コンテンツに関し、利用者が前記記録媒体から前記各コンテンツを再生した回数を計数する再生計数工程と、
前記再生計数工程にて計数された前記各コンテンツの再生回数を前記記録媒体の回数記録領域に記録する回数記録工程と、
前記回数記録工程にて前記記録媒体に記録された前記各コンテンツの再生回数を順番決定基準として、前記記録媒体に記録された前記各コンテンツを自動的に再生するための自動再生順番を決定し、前記各コンテンツの自動再生順番を表わす順番情報を生成する情報生成工程と、
前記情報生成工程にて生成された前記順番情報を前記記録媒体の順番記録領域に記録する順番記録工程と
を備えることを特徴とする記録再生方法。
【請求項１０】
請求項１〜４のいずれか１項に記載の記録再生装置における各部としてコンピュータを動作させるための記録再生プログラム。
【発明の詳細な説明】
【技術分野】
【０００１】
本発明は、映像や音声等のコンテンツを記録媒体に記録し、記録媒体に記録されたコンテンツを再生する記録再生装置、および、その記録再生装置に着脱可能な記録媒体、ならびに、記録再生方法、記録再生プログラムに関するものである。
【背景技術】
【０００２】
ＴＶ番組（テレビジョン番組）等のコンテンツを記録し、再生する記録再生装置として、ＤＶＤ（Digital Versatile Disc）レコーダーやＨＤＤ（Hard Disk Drive）内蔵型ＤＶＤレコーダー、ＨＤＤレコーダー等を挙げることができる。
【０００３】
近年、このような記録再生装置にＥＰＧ（Electronic Program Guide）を用いた予約録画の簡易化や多チャンネルの同時録画機能、キーワード等からコンテンツを選定して自動で録画する自動録画機能等が付加され、コンテンツを大量に録画し、見たいコンテンツを自由に見ることができるという環境が利用者に提供されて来ている。
【０００４】
このような記録再生装置には、予約録画したコンテンツや自動録画したコンテンツ、すでに視聴したコンテンツ等、利用者の視聴要求の程度が高いものから低いものまで、多種多様なコンテンツが蓄積されることになる。
【０００５】
このような大量のコンテンツは記録再生装置に搭載された大容量のＨＤＤに記録され、蓄積されるのが通常である。しかし、そのＨＤＤの記録容量には限界があり、そのため、記録再生装置に着脱可能なＤＶＤ等の記録媒体を利用し、ＨＤＤに記録されているコンテンツを移動させ、ＨＤＤの空き容量を確保することが必要となる。
【０００６】
このようにＨＤＤに記録されているコンテンツを消去し、ＨＤＤの空き容量を確保する作業を行なう必要があるが、大量のコンテンツの中から記録媒体に移動させるコンテンツを抽出し、その他のコンテンツを消去するという一連の編集作業は、利用者にとって非常に手間のかかるものである。
【０００７】
特に、ＨＤＤから記録媒体にコンテンツを移動させる際、例えばそのコンテンツが連続ドラマ番組であった場合、記録済みの大量のＴＶ番組の中から特定の連続ドラマ番組を時系列的に探さなければならない。このような作業は利用者にとって煩雑なものである。
【０００８】
さらに、例えば、その連続ドラマ番組がかなり過去のものであると、利用者がその連続ドラマ番組のタイトル等、その番組を特定できる特定情報をあいまいにしか記憶できていないことが多く、その場合、上で述べたような編集作業は益々煩雑なものとなってしまう。
【０００９】
また、利用者の予想を上回ってＨＤＤの記録容量が早期に一杯になってしまった場合、ＨＤＤに記録されているコンテンツの中から必要なコンテンツを探し当て、そのコンテンツを記録媒体に移動させ、残りのコンテンツをＨＤＤから消去するという、上で述べた編集作業を利用者は出来るだけ早く終わらせなければならない。
【００１０】
なぜなら、このような編集作業を利用者が行なっている間にも、利用者が録画を希望するかもしれないＴＶ番組が放送されてしまう場合があるからである。
【００１１】
したがって、このような編集作業をできるだけ簡素化し、利用者の利便性を向上させることが大いに期待されている。
【００１２】
ところで、例えば特許文献１には、記録媒体に記録されている大量のコンテンツの再生手順を自動的に生成することができる記録装置および再生装置が開示されている。
【００１３】
この特許文献１に開示された記録装置および再生装置では、画像等の情報をデータベースとして蓄積する記録媒体から、再生順を規定するプレイリストを作成し、このプレイリストに基づいて番組を放送したり、テロップおよびコマーシャルを挿入したりすることが行なわれる。
【００１４】
このプレイリストとは、ある記録媒体に記憶された画像および付加情報等について、それらの再生手順、再生動作および再生環境等を規定するリストである。
【００１５】
このようなプレイリストを自動的に作成する技術を用いることが出来れば、上で述べた記録再生装置のＨＤＤから記録媒体にコンテンツを移動させる際に、ＨＤＤに記録されたコンテンツのプレイリストを予め自動的に作成しておくことが可能となる。
【００１６】
この場合、利用者が大量のコンテンツの中から記録媒体に移動させるべきコンテンツを探し出すという煩雑な作業が不要となり、作業者の利便性が大きく向上することが期待される。
【先行技術文献】
【特許文献】
【００１７】
【特許文献１】特開２００２−１９９３３０号公報（平成１４年７月１２日公開）
【発明の概要】
【発明が解決しようとする課題】
【００１８】
しかしながら、上記の特許文献１に開示された記録装置および再生装置のプレイリストの自動作成技術を従来からの記録再生装置にそのまま適用した場合、そのプレイリストの作成過程において利用者の視聴要求の程度が全く反映されていないという課題があった。
【００１９】
利用者は、多くの提供者から多種多様のＴＶ番組等のコンテンツが提供されるが、それらの中から利用者の嗜好に合ったもの選択し、記録するのが一般的である。そして、利用者は、そのようにして記録されたコンテンツの中から、より興味の持つものを繰り返し選択し、視聴する傾向にある。
【００２０】
このため、上で述べたように、ＨＤＤに記録されているコンテンツの中から記録媒体に移動させるコンテンツを抽出し、その他のコンテンツを消去するという一連の編集作業において、利用者は例えば、自身の嗜好に合っていて、そして、繰り返し視聴した、あるいは、繰り返し視聴したいと希望するであろう、コンテンツを記録媒体に残したいと考える筈である。
【００２１】
したがって、ＨＤＤに記録された大量のコンテンツの中から記録媒体に移動すべきコンテンツを抽出する際、利用者の嗜好や視聴回数といった利用者の視聴要求の程度を考慮しないと、ＨＤＤからコンテンツが移動された記録媒体は利用者にとって魅力的なものとはならない。
【００２２】
さらに、上記のプレイリストに基づき、記録媒体に記録されているコンテンツを自動的に再生したとしても、当然のことながら、利用者の視聴要求の程度に沿った順番でコンテンツが再生されることも無い。
【００２３】
本発明は、上記課題に鑑みてなされたものであり、その目的は、利用者の視聴要求の程度に沿ってコンテンツを記録媒体に記録し、その記録媒体に記録されたコンテンツを利用者の視聴要求の程度に沿って再生することができる記録再生装置およびそれに用いられる記録媒体、ならびに、記録再生方法、記録再生プログラムを提供することである。
【課題を解決するための手段】
【００２４】
上記目的を達成するために、本発明に係る記録再生装置は、複数のコンテンツの中から利用者の嗜好に関する嗜好情報を基に選択的に取得し、自装置に対して着脱可能な記録媒体のコンテンツ記録領域に記録するコンテンツ記録部と、前記コンテンツ記録部により前記記録媒体に記録された前記各コンテンツに関し、利用者が前記記録媒体から前記各コンテンツを再生した回数を計数する再生計数部と、前記再生計数部により計数された前記各コンテンツの再生回数を前記記録媒体の回数記録領域に記録する回数記録部と、前記回数記録部により前記記録媒体に記録された前記各コンテンツの再生回数を順番決定基準として、前記記録媒体に記録された前記各コンテンツを自動的に再生するための自動再生順番を決定し、前記各コンテンツの自動再生順番を表わす順番情報を生成する情報生成部と、前記情報生成部により生成された前記順番情報を前記記録媒体の順番記録領域に記録する順番記録部とを備える。ここで、「記録再生装置」は、記録／再生装置の意である。
【００２５】
上記の記録再生装置では、コンテンツ記録部は利用者の嗜好情報を基に多数のコンテンツの中から利用者の嗜好に合ったコンテンツを選択し、記録再生装置に着脱可能な記録媒体に記録する。
【００２６】
このため、コンテンツ記録部により選択されるコンテンツは利用者の嗜好に合ったものとなり、利用者が今後良く再生するであろうと考えられるコンテンツが記録媒体に記録されることになる。
【００２７】
すなわち、利用者の視聴要求の程度に沿ってコンテンツが記録媒体に記録されることになる。
【００２８】
また、このような利用者の嗜好に合ったコンテンツを記録しつつ、再生計数部は、記録媒体に記録された各コンテンツに関し、利用者による各コンテンツの再生回数を計数し、回数記録部は、その再生回数を記録媒体に記録する。情報生成部は、記録媒体に記録された各コンテンツの再生回数を基に、記録媒体に記録されているコンテンツを自動的に再生するための順番である自動再生順番を生成する。順番記録部は、その自動再生順番を表わす順番情報を記録媒体に記録する。
【００２９】
このため、このような自動再生順番にしたがって記録媒体に記録されているコンテンツを自動再生すれば、利用者が今後最も良く再生するであろうと考えられるコンテンツの再生順番に近い再生順番に従って、記録媒体に記録されているコンテンツを再生することができる。
【００３０】
すなわち、記録媒体に記録されたコンテンツを利用者の視聴要求の程度に沿って再生することができる。
【００３１】
前記情報生成部は、前記再生回数に加え、さらに、前記嗜好情報を前記順番決定基準とすることが好ましい。
【００３２】
この場合、情報生成部は、記録媒体に記録された各コンテンツが利用者により再生されること無かった場合でも、利用者の嗜好に関する情報を基に順番情報を生成することができる。
【００３３】
なお、情報生成部は、記録媒体に記録された各コンテンツが利用者により再生されている場合でも、その順番情報の生成の際、利用者の嗜好に関する情報を用いてよい。この場合、情報生成部は、各コンテンツの再生回数と利用者の嗜好に関する情報とを基に順番情報を生成する。
【００３４】
前記順番情報が予め記録された順番づけ済みの前記記録媒体が装着されたときに、前記記録媒体の前記順番記録領域から前記順番情報を検知する検知部をさらに備え、前記検知部により検知された前記順番情報が表わす前記自動再生順番に従って、前記記録媒体の前記コンテンツ記録領域に記録された各コンテンツを自動的に再生することが好ましい。
【００３５】
この場合、記録媒体が装着されたときに、順番情報が予め記録されていれば、その順番情報を検知部が検知する。
【００３６】
そして、記録再生装置は、このような順番情報が表わす自動再生順番にしたがって記録媒体に記録されているコンテンツを自動再生する。
【００３７】
そうすることにより、利用者が今後最も良く再生するであろうと考えられるコンテンツの再生順番に近い再生順番に従って、記録媒体に記録されているコンテンツを再生することができる。すなわち、記録媒体に記録されたコンテンツを利用者の視聴要求の程度に沿って再生することができる。
【００３８】
前記順番情報を基に前記記録媒体の前記コンテンツ記録領域に記録された前記複数のコンテンツの少なくとも一部を選択し、その一部の各コンテンツを一意に特定する特定情報を前記記録媒体から取得する特定情報取得部と、前記特定情報取得部により取得された前記特定情報を示す文字列を、前記利用者により前記記録媒体の表面から視認可能となるように、前記記録媒体に含まれる、情報を読み出すことのみ可能な情報記録層に記録する特定情報記録部とをさらに備えることが好ましい。
【００３９】
この場合、利用者が記録媒体に記録されているコンテンツを特定できる特定情報をあいまいにしか記憶できていない場合でも、利用者が今後最も良く再生するであろうと考えられるコンテンツの特定情報を利用者により記録媒体の表面から視認可能とすることができる。
【００４０】
このため、このような特定情報を視認することにより、利用者は、自身の記憶があいまいな場合でも、記録媒体に記録されているコンテンツの中から所望とするコンテンツの発見が容易となる。
【００４１】
本発明に係る記録媒体は、上記の記録再生装置に着脱可能な記録媒体であって、前記記録媒体は、２層以上の情報記録層を含んでおり、前記各情報記録層の情報は、再生光によって読み出すことが可能となっており、前記コンテンツ記録領域、前記回数記録領域および前記順番記録領域は、前記２層以上の情報記録層のいずれかに設けられている。
【００４２】
上記の記録媒体では、記録再生装置のコンテンツ記録部により記録されるコンテンツ、回数記録部により記録される各コンテンツの再生回数および順番記録部により記録される順番情報が記録媒体に記録されることになる。
【００４３】
このため、記録再生装置がこのようなコンテンツ、再生回数、順番情報を記録する記録媒体を予め設ける必要が無く、記録再生装置の製造コストを低減することができる。
【００４４】
また、上記のコンテンツおよび順番情報を記録媒体に記録するので、利用者の手によることなく、コンテンツおよび順番情報が記録されている記録媒体を作製することができる。したがって、利用者の手間を省くことができる。
【００４５】
前記情報生成部は、前記順番情報を生成するときには、前記記録媒体の順番情報生成アルゴリズム記録領域に予め記録された順番情報生成アルゴリズムを読み出し、当該順番情報生成アルゴリズムに従って前記順番決定基準を基に前記自動再生順番を決定しており、前記順番情報生成アルゴリズム記録領域は、前記２層以上の情報記録層のいずれかに設けられていることが好ましい。
【００４６】
この場合、記録再生装置は、記録媒体に予め記録されている順番情報生成アルゴリズムを用いて順番情報を生成することができる。
【００４７】
このため、順番情報生成アルゴリズムを記録媒体から適宜更新可能であり、また、各記録媒体に記録されるべきコンテンツの順番情報作成に好適なアルゴリズムを利用することが可能となる。
【００４８】
前記コンテンツ記録部は、前記記録媒体の嗜好情報生成アルゴリズム記録領域に予め記録された嗜好情報生成アルゴリズムを読み出し、当該嗜好情報生成アルゴリズムに従って前記利用者からの入力情報を基に前記利用者の嗜好情報を生成しており、前記嗜好情報生成アルゴリズム記録領域は、前記２層以上の情報記録層のいずれかに設けられていることが好ましい。
【００４９】
この場合、記録再生装置は、記録媒体に予め記録されている嗜好情報生成アルゴリズムを用いて利用者の嗜好に関する情報を生成することができる。
【００５０】
このため、嗜好情報生成アルゴリズムを記録媒体から適宜更新可能であり、また、各記録媒体に記録されるべきコンテンツの選択に好適なアルゴリズムを利用することが可能となる。
【００５１】
前記２層以上の情報記録層のうち、少なくとも一層が、情報を読み出すことのみ可能な第１の情報記録層であり、前記第１の情報記録層とは異なる残りの情報記録層のうち、少なくとも一層が、情報を書き換えることが可能な、または、情報を追記録することのみ可能な第２の情報記録層であり、前記コンテンツ記録領域、前記回数記録領域および前記順番記録領域は、前記第２の情報記録層に設けられており、前記順番情報生成アルゴリズム記録領域および前記嗜好情報生成アルゴリズム記録領域は、前記第１の情報記録層に設けられていることが好ましい。
【００５２】
この場合、コンテンツ、再生回数および順番情報を第２の情報記録層に記録することのより、それらの書き換え、追記が可能となる。
【００５３】
また、順番情報生成アルゴリズムおよび嗜好情報生成アルゴリズムを第１の情報記録層に予め記録しておくことにより、第三者によるそれらの書き換えが防止される。
【００５４】
本発明に係る記録再生方法は、複数のコンテンツの中から利用者の嗜好に関する嗜好情報を基に選択的に取得し、記録媒体のコンテンツ記録領域に記録するコンテンツ記録工程と、前記コンテンツ記録工程にて前記記録媒体に記録された前記各コンテンツに関し、利用者が前記記録媒体から前記各コンテンツを再生した回数を計数する再生計数工程と、前記再生計数工程にて計数された前記各コンテンツの再生回数を前記記録媒体の回数記録領域に記録する回数記録工程と、前記回数記録工程にて前記記録媒体に記録された前記各コンテンツの再生回数を順番決定基準として、前記記録媒体に記録された前記各コンテンツを自動的に再生するための自動再生順番を決定し、前記各コンテンツの自動再生順番を表わす順番情報を生成する情報生成工程と、前記情報生成工程にて生成された前記順番情報を前記記録媒体の順番記録領域に記録する順番記録工程とを備える。
【００５５】
上記の記録再生方法では、上記の記録再生装置と同様の効果を得ることができる。
【００５６】
なお、上記の記録再生装置は、コンピュータによって実現してもよく、この場合には、コンピュータを前記各部として動作させることにより前記記録再生をコンピュータにて実現させる記録再生プログラムも、本発明の範疇に入る。
【発明の効果】
【００５７】
本発明の記録再生装置は、以上のように、複数のコンテンツの中から利用者の嗜好に関する嗜好情報を基に選択的に取得し、自装置に対して着脱可能な記録媒体のコンテンツ記録領域に記録するコンテンツ記録部と、前記コンテンツ記録部により前記記録媒体に記録された前記各コンテンツに関し、利用者が前記記録媒体から前記各コンテンツを再生した回数を計数する再生計数部と、前記再生計数部により計数された前記各コンテンツの再生回数を前記記録媒体の回数記録領域に記録する回数記録部と、前記回数記録部により前記記録媒体に記録された前記各コンテンツの再生回数を順番決定基準として、前記記録媒体に記録された前記各コンテンツを自動的に再生するための自動再生順番を決定し、前記各コンテンツの自動再生順番を表わす順番情報を生成する情報生成部と、前記情報生成部により生成された前記順番情報を前記記録媒体の順番記録領域に記録する順番記録部とを備える。
【００５８】
それゆえ、利用者の視聴要求の程度に沿ってコンテンツを記録媒体に記録し、その記録媒体に記録されたコンテンツを利用者の視聴要求の程度に沿って再生することができる記録再生装置を提供することができるという効果を奏する。
【図面の簡単な説明】
【００５９】
【図１】本発明の一実施形態にかかる記録再生装置の記録再生制御部の構成を示すブロック図である。
【図２】上記の記録再生装置に着脱可能な記録媒体の概略構成を示す断面図である。
【図３】上記の記録媒体の表面側から見た平面図である。
【図４】上記の記録再生装置の構成を示すブロック図である。
【図５】上記の記録再生装置の記録再生実行部の構成を示す図である。
【図６】上記の記録再生装置の動作を説明するためのフローチャートである。
【図７】上記の記録再生装置の動作を説明するためのフローチャートである。
【図８】上記の記録再生装置の動作を説明するためのフローチャートである。
【図９】上記の記録媒体の表面側から見た平面図である。
【図１０】上記の記録再生制御部の特定情報記録部の動作を説明するためのフローチャートである。
【発明を実施するための形態】
【００６０】
本発明の一実施形態について図１〜図１０に基づいて説明すれば、以下の通りである。
【００６１】
（記録媒体）
先ず、本実施形態に係る記録再生装置に用いられる記録媒体について説明する。この記録媒体は、ＤＶＤやＢＤ（Blu-ray Disc；登録商標）等において、情報記録層を２層まで有する多層構造の光情報記録媒体を用いることができる。この光情報記録媒体は、情報の書き換え可能な情報記録層（以下、「ＲＥ（REwritable）層」と呼ぶ。）と、様々なコンテンツが予め記録されている情報記録層で、かつ、再生のみ可能な再生専用の情報記録層（以下、「ＲＯＭ（Read Only Memory）層」と呼ぶ。）と、を少なくとも有しており、記録容量の向上が図られた記録媒体である。なお、このようなＲＥ層、ＲＯＭ層の他、追記録可能な情報記録層（以下、Ｒ（Recordable）層」と呼ぶ。）を有していてもよい。
【００６２】
以下、本実施形態に係る記録再生装置に用いられる記録媒体の一具体例について説明する。図２は、本実施形態に係る記録再生装置に用いられる記録媒体２００の概略構成を示す断面図である。
【００６３】
図２に示すように、記録媒体２００は、再生光入射面側から順に、透光層１０と、第１の情報記録層２０と、中間層３０と、第２の情報記録層４０と、が基板５０上に積層された構造を有している。
【００６４】
透光層１０は、例えば厚さ７５μｍの紫外線硬化樹脂を用いて形成されている。透光層１０の材料は、再生光の波長において透過率が高いものであれば良い。すなわち、透光層１０は、例えばポリカーボネートフィルムと透明粘着剤とを用いて形成すれば良い。
【００６５】
また、透光層１０の表面には、表面保護のためのハードコートが設けられていても良い。
【００６６】
さらに、透光層１０の厚さは、記録媒体２００が着脱される、本実施形態に係る記録再生装置が有する光学系に応じて変更されても良い。具体的には、透光層１０は、例えば０．６ｍｍのポリカーボネ−ト基板であっても良い。
【００６７】
第１の情報記録層２０は、ＲＯＭ層であり、例えば成膜時の窒素流量により屈折率が調整された厚さ１５ｎｍの窒化アルミを用いて形成されている。
【００６８】
第１の情報記録層２０の厚さおよび材料は、これに限られるものではなく、例えば再生光波長における第１の情報記録層２０の反射率値が０．４％より大きく、２．２％以下となるものであれば良い。
【００６９】
すなわち、第１の情報記録層２０は、再生光波長において透光性を有しており、その反射率値は、第２の情報記録層４０を再生するときの再生光（以下、「第２の再生光」と呼ぶ。）ではフォーカス引き込みが不可能になる値であり、第１の情報記録層２０を再生するときの再生光（以下、「第１の再生光」と呼ぶ。）ではフォーカス引き込みが可能になる値であれば良い。具体的には、第１の情報記録層２０は、上記窒化アルミの他に、例えば窒化シリコンや、窒化アルミ、窒化シリコンを主成分とする誘電体を用いれば良く、単層に限らず多層構造を有していても良い。
【００７０】
第２の再生光は、第２の情報記録層４０を再生するときに記録媒体２００に照射されるものであり、第１の再生光は、第２の再生光よりも強度が高く、第１の情報記録層２０を再生するときに記録媒体２００に照射されるものである。
【００７１】
中間層３０は、例えば厚さ２５μｍの透明紫外線硬化樹脂を用いている。中間層３０の材料は、これに限られたものではなく、再生光の波長において透過率が高い材料であれば良い。
【００７２】
また、中間層３０の厚さも、これに限られたものではなく、第１の情報記録層２０および第２の情報記録層４０を分離でき、層間クロストークが問題にならない適度の厚さであれば良い。なお、層間クロストークとは、再生中の情報記録層以外の情報記録層からのノイズを指す。
【００７３】
さらに、中間層３０は、多層構造であっても良い。また、中間層３０の、第１の情報記録層２０側の面には、第１の情報記録層２０に形状として記録される情報に応じた凹凸からなるプリピット（図示しない）が設けられている。
【００７４】
第２の情報記録層４０は、ＲＥ層であり、例えば７層の薄膜からなる。この７層の薄膜は、再生光入射側から順に、第１の保護膜４１（例えば、厚さ３５ｎｍのＺｎＳ−ＳｉＯ２）と、第２の保護膜４２（例えば、厚さ５ｎｍのＺｒＯ）と、記録層４３（例えば、厚さ１０ｎｍのＧｅＴｅ−Ｓｂ２Ｔｅ３）と、第３の保護膜４４（例えば、厚さ５ｎｍのＺｒＯ）と、第４の保護膜４５（例えば、厚さ３５ｎｍのＺｎＳ−ＳｉＯ２）と、第５の保護膜４６（例えば、厚さ５ｎｍのＺｒＯ）と、反射膜４７（例えば、厚さ２０ｎｍのＡＰＣ（ＡｇＰｄＣｕ））と、が基板５０上に積層された構造を有している。なお、第２の情報記録層４０の材料、厚さおよび層数は、これに限られるものではなく、ＲＥ層として機能するものであれば良い。
【００７５】
基板５０は、例えば厚さ１．１ｍｍのポリカーボネートを用いることができる。基板５０の材料および厚さは、これに限られるものではなく、表面にグルーブが設けられており、かつ基板として使用できる程度の所定の強度があれば良い。
【００７６】
具体的には、基板５０は、例えばポリオレフィン樹脂、金属等を用いれば良い。さらに、基板５０は、単層に限らず多層構造を有していても良い。
【００７７】
基板５０の表面には、グルーブの他に、第２の情報記録層４０に形状として記録される情報に応じた凹凸からなるプリピットが設けられていても良い。この場合、第２の情報記録層４０のプリピットが設けられた領域は、情報の読み出しのみ可能な領域となる。すなわち、第２の情報記録層４０は、ＲＥ領域とＲＯＭ領域とを含む構成であっても良い。
【００７８】
図３は、図２の記録媒体２００の表面側から見た平面図である。記録媒体２００は、著作権保護等の観点から記録媒体２００に固有の識別情報を保有している。具体的には、図３に示すように、記録媒体２００には、バーコード状の管理情報領域１７０が設けられている。この管理情報領域１７０には、ＢＣＡ（Burst Cutting Area）と、ＰＩＣ（Permanent Information & Control data）と、が含まれている。
【００７９】
特に、ＢＣＡは、記録媒体２００の製造後において、記録媒体２００の構造を示す識別情報（ＩＤ）や、暗号鍵や復号鍵が、バーコード状に記録されたものである。例えば、大強度のレーザ光等を集光照射して、記録媒体２００の第１の情報記録層２０や第２の情報記録層４０自体を蒸発させて書き換え不可能なバーコードを形成する光透過タイプのＢＣＡや、第１の情報記録層２０や第２の情報記録層４０自体もしくはそれらの周辺の基板５０に書き換え不可能な変質を生じさせ、該変質領域の反射光量の変化を読み取る反射率制御タイプのＢＣＡがある。
【００８０】
識別情報の具体例としては、記録媒体２００が有する情報記録層のタイプ（ＲＯＭ層、ＲＥ層、Ｒ層）、記録媒体２００のサイズ、記録媒体２００のバージョン（速度等に関連）、記録媒体２００への記録再生の標準条件、サーボの極性、記録マークの極性および記録媒体２００固有の番号等が例示できるが、これらの各識別情報のＢＣＡにおける記録順序、配置方法は、任意であってよい。なお、これらの記録順序は、通常規格等によって決められている。
【００８１】
本実施形態に係る記録再生装置は、このような記録媒体２００に後述する自動編集処理を実行する。記録媒体２００は、記録媒体２００がこの自動編集処理の実行が可能である記録媒体であることを表わす識別子を上で述べたＢＣＡに記録されており、記録再生装置は、このような識別子がＢＣＡに記録されている記録媒体２００に自動編集処理を実行するものである。
【００８２】
（記録再生装置）
次に、本実施形態に係る記録再生装置について説明する。本実施形態に係る記録再生装置は、ＤＶＤレコーダー、ＢＤレコーダー、ＨＤＤレコーダー、ＨＤＤまたはフラッシュメモリ等の記録媒体が内蔵されたパーソナルコンピューターやテレビ、携帯電話、ＰＤＡ（Personal Digital Assistant）といった、コンテンツを記録再生するいずれの装置にも適用できるものである。
【００８３】
要は、上で述べたような記録媒体２００が着脱可能であり、記録媒体２００が装着されたとき、以下に述べる自動編集処理を行なうことができるものであれば、どのような装置であってもよい。
【００８４】
また、本実施形態においては、記録媒体２００に記録されるコンテンツとして、ＴＶ番組を例に用いて説明するが、ラジオ放送番組や、映画、音声情報、ビデオ映像、ゲームソフトウェア等の放送番組、配信情報、および、利用者自身が作成するデータもコンテンツとして記録可能である。必ずしもＴＶ番組に限られるものではない。
【００８５】
なお、以下では、利用者が一人の場合を例として説明するが、本発明は、複数の利用者がいる場合であっても構わない。この場合、例えば各利用者に各利用者を一意的に特定可能な識別番号を与え、各利用者が記録再生装置を利用する際、その識別番号を記録再生装置に与え、各利用者であることを認識させるようにすればよい。そうすることにより、記録再生装置は後述する各動作を利用者ごとに行なうことが可能となる。
【００８６】
さらに、本実施形態においては、コンテンツをＴＶ番組として説明するため、記録再生装置の記録動作を録画として記載しているが、記録動作はその記録対象のコンテンツに応じたものであればよく、必ずしも録画に限定されるものではない。例えば、音声情報であれば記録動作は録音となる。
【００８７】
また、放送番組の番組情報である例えばＥＰＧ（Electronic Program Guide）情報のような電子番組案内に含まれる情報を利用した予約処理を例に用いて以下では説明するが、必ずしもこれに限らず、各記録対象となる情報の名称または内容に関する案内情報を基にした処理も本発明に適用できる。
【００８８】
図４は、本実施形態に係る記録再生装置１の構成を示すブロック図である。本実施形態に係る記録再生装置１は、図１に示すように、記録再生実行部２と、記録再生制御部３と、指示入力部４と、画像表示部５と、を備えている。
【００８９】
記録再生実行部２は、記録再生装置１に着脱可能な記録媒体２００にコンテンツを記録すると共に、記録媒体２００に記録されているコンテンツを再生する。
【００９０】
記録再生制御部３は、記録再生実行部２による記録媒体２００へのコンテンツの記録および記録媒体２００からのコンテンツの再生を制御する。また、記録再生制御部３は、多数のコンテンツ提供者から提供される大量のコンテンツを取得する。
【００９１】
指示入力部４は、利用者からの各種の指示入力等を受け付ける。例えば、キーボード、テンキー等を用いることができる。
【００９２】
画像表示部５は、記録再生実行部２により記録媒体２００から再生されるコンテンツ等を表示する。例えば、液晶ディスプレイ等の画像表示装置を用いることができる。
【００９３】
（記録再生実行部）
図５は、記録再生実行部２の構成を示す図である。
【００９４】
図５に示すように、記録再生実行部２のディスク駆動モータ１０１は、円盤状の記録媒体２００を所定の速度で回転駆動させる。このディスク駆動モータ１０１は、モータ制御回路１０９によって制御されている。このように回転駆動している記録媒体２００からの情報の読み取りは、光学ピックアップ１０２によって行なわれる。
【００９５】
光学ピックアップ１０２は、フィードモータ１１１の駆動力によって、記録媒体２００の半径方向に移動できるように構成されている。このフィードモータ１１１は、フィードモータ制御回路１０８によって制御されている。また、フィードモータ１１１は、その回転速度が速度検出器１１２によって検出されるように構成されている。そして、速度検出器１１２は、検出した結果を速度信号として、フィードモータ制御回路１０８に供給する。
【００９６】
光学ピックアップ１０２は、対物レンズ１０２ａを備えている。この対物レンズ１０２ａは、フォーカス方向（光軸方向）とトラッキング方向（記録媒体２００の半径方向）とに、それぞれ移動可能に支持されている。そして、この対物レンズ１０２ａは、フォーカス制御回路１０５により生成されたフォーカス制御信号がフォーカス駆動コイル１０２ｃに供給されることによって、フォーカス方向の位置が制御される。同様に、対物レンズ１０２ａは、トラッキング制御回路１０８により生成されたトラッキング制御信号がトラッキング駆動コイル１０２ｂに供給されることによって、トラッキング方向の位置が制御される。
【００９７】
また、レーザ制御回路１０３は、光学ピックアップ１０２内の半導体レーザ発振器１０２ｆを駆動し、半導体レーザ発振器１０２ｆからレーザ光を発生させる。光量検出器１０２ｇは、この半導体レーザ発振器１０２ｆで発生するレーザ光の光量を検出し、この検出結果をレーザ制御回路１０３に帰還する。この構成により、レーザ制御回路１０３は、半導体レーザ発振器１０２ｆに発生させるレーザ光の光量を一定に制御することができる。
【００９８】
そして、この半導体レーザ発振器１０２ｆで発生したレーザ光は、コリメータレンズ１０２ｅを通過してハーフプリズム１０２ｄにて直角に折曲された後、対物レンズ１０２ａにより、記録媒体２００の何れかの情報記録層上に集光することになる。記録媒体２００の何れかの情報記録層とは、図２に示した第１の情報記録層２０または第２の情報記録層４０の何れかである。
【００９９】
また、記録媒体２００からの反射光は、対物レンズ１０２ａを逆行し、ハーフプリズム１０２ｄを直進した後、集光レンズ１０２ｈおよびシリンドリカルレンズ１０２ｉを介して、光電変換器１０２ｊに受光される。この光電変換器１０２ｊは、受光量に応じた電気信号を発生する４つのフォトディテクタ１０２ｊ１〜１０２ｊ４によって構成されている。この光電変換器１０２ｊの場合、フォトディテクタ１０２ｊ１・１０２ｊ２の並び方向およびフォトディテクタ１０２ｊ３・１０２ｊ４の並び方向が記録媒体２００のトラッキング方向に対応する。同様に、フォトディテクタ１０２ｊ１・１０２ｊ４の並び方向およびフォトディテクタ１０２ｊ２・１０２ｊ３の並び方向が記録媒体２００の接線方向に対応する。
【０１００】
フォトディテクタ１０２ｊ１から出力された電気信号は、増幅回路１１４ａを介して加算回路１１３ａ・１１３ｄの１端にそれぞれ供給され、フォトディテクタ１０２ｊ２から出力された電気信号は、増幅回路１１４ｂを介して加算回路１１３ｂ・１１３ｃの１端にそれぞれ供給される。また、フォトディテクタ１０２ｊ３から出力された電気信号は、増幅回路１１４ｃを介して加算回路１１３ａ・１１３ｃの他端にそれぞれ供給され、フォトディテクタ１０２ｊ４から出力された電気信号は、増幅回路１１４ｄを介して加算回路１１３ｂ・１１３ｄの他端にそれぞれ供給されている。
【０１０１】
加算回路１１３ａの出力信号は、差動増幅回路１０４の反転入力端子−に供給され、加算回路１１３ｂの出力信号は、差動増幅回路１０４の非反転入力端子＋に供給されている。この差動増幅回路１０４は、加算回路１１３ａ・１１３ｂの出力信号の差を算出することによってフォーカスエラー信号を生成し、フォーカス制御回路１０５に供給している。このフォーカス制御回路１０５は、入力されたフォーカスエラー信号が０レベルとなるようにフォーカス駆動コイル１０２ｃに与えるフォーカス制御信号を生成し、対物レンズ１０２ａに対するフォーカスサーボが行われる。
【０１０２】
記録媒体２００の再生時には、記録再生実行部２は、最初に、光学ピックアップ１０２内の半導体レーザ発振器１０２ｆにて、単層光情報記録媒体に対応した再生光を発生させる。
【０１０３】
次に、対物レンズ１０２ａによるレーザ光の集光位置を、その初期位置から図２においては上方に、その駆動上限位置まで移動させる。そして、記録再生実行部２は、フォーカスエラー信号が所定の基準電圧を越えた回数をカウントすることにより、記録媒体２００の情報記録層数を認識する。
【０１０４】
その後、記録再生実行部２は、記録媒体２００が有する情報記録層数に基づいて定められた再生光パワーを変更する。そして、記録再生実行部２は、変更された再生光パワーにて、対物レンズ１０２ａによるレーザ光の集光位置を、駆動上限位置から図２においては下方に、初期位置まで移動させる。そのときに、最初にフォーカスサーチ処理される情報記録層から検出されるフォーカスエラー信号の電圧値が、適切な値となるようフォーカス制御回路１０５等に含まれる増幅器のゲインを変更する。
【０１０５】
そして、例えば、第２の情報記録層４０にフォーカスサーチ処理する場合、記録再生実行部２は、フォーカスエラー信号が上記の基準電圧を越えた回数をカウントし、２回目となった後、最初に０レベル（フォーカスサーボ動作の中心レベル）となった時点でフォーカスサーボをＯＮ状態とする。これにより、記録再生実行部２における第２の情報記録層４０に対するフォーカスサーチ処理が終了される。
【０１０６】
また、例えば、第１の情報記録層２０から第２の情報記録層４０にレイヤージャンプする場合、記録再生実行部２は、フォーカスサーボを一旦ＯＦＦ状態にし、第１の情報記録層２０から第２の情報記録層４０に対物レンズ１０２ａによるレーザ光の焦点位置を順次移動させる。
【０１０７】
そして、記録再生実行部２は、差動増幅回路１０４から出力されるフォーカスエラー信号が上記の基準電圧を越えた回数をカウントし、１回目となった後、最初に０レベル（フォーカスサーボ動作の中心レベル）となった時点でフォーカスサーボをＯＮ状態とする。これにより、レイヤージャンプ処理が終了する。
【０１０８】
また、これらのフォーカスサーチ処理が行われたとき、位相差検出回路１０７は、光電変換器１０２ｊのフォトディテクタ１０２ｊ１・１０２ｊ４の出力信号の和と、フォトディテクタ１０２ｊ２・１０２ｊ３の出力信号の和との位相差が検出する。
【０１０９】
そして、位相差検出回路１０７は、この検出結果をトラッキングエラー信号としてトラッキング制御回路１０６に供給する。
【０１１０】
このトラッキング制御回路１０６は、入力されたトラッキングエラー信号に基づいてトラッキング駆動コイル１０２ｂに与えるトラッキング制御信号を生成し、対物レンズ１０２ａに対してトラッキングサーボを施す。
【０１１１】
そして、記録再生実行部２では、このトラッキングサーボが行われている状態で記録媒体２００の再生が行なわれる。加算回路１１３ｃ・１１３ｄから出力された電気信号が加算回路１１３ｅで合計され、データ再生回路１１０でデジタル信号に変換される。
【０１１２】
なお、記録再生実行部２のレーザ制御回路１０３、フォーカス制御回路１０５、トラッキング制御回路１０８、モータ制御回路１０９およびデータ再生回路１１０は、制御部１１５によって制御されている。制御部１１５には、記録再生実行部２に装填される記録媒体２００の記録再生に関する情報が記憶されている。制御部１１５は、この情報に従って上記の各回路を制御することとなる。
【０１１３】
このようにして記録再生実行部２では、記録媒体２００の第１の情報記録層２０および第２の情報記録層４０のそれぞれから情報を読み出す光学ピックアップ１０２の対物レンズ１２０ａが、上で述べたように、フォーカスサーボとトラッキングサーボで制御されている。なお、フォーカスサーボとは、対物レンズ１２０ａと記録媒体２００との距離を一定に保ち、レーザ光の焦点を合わせ続ける制御（記録媒体２００の垂直方向の制御）である。一方、記録媒体２００の偏心等によって発生するトラックの揺れに対して、対物レンズ１２０ａを目的のトラックに追従させる制御（記録媒体２００の半径方向の制御）をトラッキングサーボという。
【０１１４】
また、記録媒体２００の記録時には、記録媒体２００の再生時と同様、上で述べたようなフォーカスサーボとトラッキングサーボにより対物レンズ１２０ａが制御される。そして、制御部１１５がレーザ制御回路１０３を介して記録光パワーを設定し、光学ピックアップ１０２から記録光を記録媒体２００の第２の情報記録層４０に照射する。そうすることにより、第２の情報記録層４０のトラックに情報が記録される。
【０１１５】
（記録再生制御部）
上で述べたように、記録再生制御部３は、記録再生実行部２による記録媒体２００へのコンテンツの記録および記録媒体２００からのコンテンツの再生を制御するものである。以下では、このような記録再生実行部２による記録媒体２００へのコンテンツの記録を単に記録媒体２００へのコンテンツの記録と呼び、記録再生実行部２による記録媒体２００からのコンテンツの再生を単に記録媒体２００からの再生と呼ぶ。
【０１１６】
図１は、記録再生制御部３の概略構成を示すブロック図である。
【０１１７】
図１に示すように、記録再生制御部３は、番組記録部（コンテンツ記録部）３０１と、再生計数部（再生計数部、回数記録部）３０２と、容量計算部３０３と、順番情報生成部（情報生成部、順番記録部）３０４と、特定情報記録部３０５と、検知部３０６を備えている。
【０１１８】
番組記録部３０１は、記録媒体２００の第１の情報記録層２０に予め記録されている嗜好情報生成アルゴリズムを取得し、その嗜好情報生成アルゴリズムに従って利用者の嗜好に関する嗜好情報を生成する。記録媒体２００は、第１の情報記録層２０に嗜好情報生成アルゴリズムが記録されている嗜好情報生成アルゴリズム記録領域を設けている。
【０１１９】
具体的には、番組記録部３０１は、記録媒体２００から嗜好情報生成アルゴリズムを取得すると、その嗜好情報生成アルゴリズムに従い、例えば画像表示部５に利用者の嗜好に関する情報を生成するための各種の質問等を表示させる。番組記録部３０１は、指示入力部４から入力される利用者からのその質問等に対する入力情報を上記の嗜好情報生成アルゴリズムに従い各種の統計処理を行ない、利用者の嗜好に関する情報を生成する。
【０１２０】
そして、番組記録部３０１は、このようにして生成された利用者の嗜好に関する情報に基づき、複数の番組の中から利用者の嗜好に合った番組を選択し、記録媒体２００の第２の情報記録層４０に記録する。記録媒体２００は、第２の情報記録層４０に番組記録部３０１により選択される番組が記録される番組記録領域を設けている。
【０１２１】
番組記録部３０１により記録媒体２００の番組記録領域に記録される番組は、利用者の嗜好に合ったものであり、利用者の視聴要求の程度に沿って番組が記録媒体２００に記録されるといえる。
【０１２２】
再生計数部３０２は、指示入力部４から入力される利用者からの番組再生要求を取得する。その番組再生要求は、記録媒体２００に記録されている番組のそれぞれに関して、その番組が記録媒体２００に記録された後に、利用者がその番組の再生を記録再生装置１に要求するためのものである。
【０１２３】
再生計数部３０２は、このような番組再生要求を取得し、その番組再生要求に対応する番組が、記録媒体２００に記録された後、何度再生されたかを計数する。
【０１２４】
そして、再生計数部３０２は、このようにして計数された記録媒体２００に記録されている各番組の再生回数を、記録媒体２００の第２の情報記録層４０に記録する。再生計数部３０２は、上で述べた番組再生要求を取得するたびに、その番組の再生回数の更新を記録媒体２００に対して行なう。記録媒体２００は、第２の情報記録層４０に、再生計数部３０２により計数される記録媒体２００に記録されている番組の再生回数が記録される回数記録領域を設けている。
【０１２５】
容量計算部３０３は、記録媒体２００の第２の情報記録層４０の番組記録領域の残存記録容量を計算する。容量計算部３０３は、その番組記録領域の残存記録容量を１つの番組の記録が終了するごとに計算しており、その計算結果が予め定められた下限値以下であるか否かを判断する。この予め定められた下限値は、例えば残存記憶容量があと１時間分であるといった下限値である。もちろん、この下限値はこのような値に限られるものではなく、利用者により適宜設定が可能である。
【０１２６】
容量計算部３０３は、上記の番組記録領域の残存記録容量が下限値以下となったと判断すると、その判断結果を番組記録部３０１に出力する。番組記録部３０１は、この判断結果に基づき、記録媒体２００への番組の記録を終了する。その際、番組記録部３０１は、記録媒体２００の第２の情報記録層４０の番組記録領域の残存記録容量が下限値以下となった旨を、画像表示部５に出力し、利用者にその旨を報知するようにしてもよい。
【０１２７】
そうすれば、利用者は例えばあと１時間で記録媒体２００の第２の情報記録層４０の番組記録領域の残存記憶容量がゼロになってしまうことを認識することができ、記録媒体２００を他の記録媒体２００に入れ替えを行なうことができる。
【０１２８】
このため、記録媒体２００の番組記録領域の残存記録容量不足による番組記録の失敗を回避することができる。
【０１２９】
また、図示はしないが、例えば２枚の記録媒体２００の装着を可能とする構成を記録再生実行部２に設けておくことにより、上で述べたように、利用者が自ら記録媒体２００の入れ替えを行なうことが不要となる。すなわち、容量計算部３０３が記録媒体２００の番組記録領域の残存記録容量が下限値以下となった旨を記録再生実行部２に通知し、その通知を受けた記録再生実行部２が記録媒体２００の入れ替えを自動的に行なうようにすればよい。
【０１３０】
なお、この場合、最初に装着された２枚の記録媒体２００のうち第１番目の記録媒体２００の番組記録領域の残存記録容量が上記の下限値以下となり、第２番目の記録媒体２００のへ番組の記録が始まった後、利用者は第１番目の記録媒体２００を新しい記録媒体２００に入れ替える必要がある。
【０１３１】
また、容量計算部３０３は、上で述べたように、記録媒体２００の第２の情報記録層４０の番組記録領域の残存記録容量が下限値以下となったと判断すると、その判断結果を順番情報生成部３０４にも出力する。
【０１３２】
順番情報生成部３０４は、容量計算部３０３から上記の判断結果を受け取り、番組記録部３０１による記録媒体２００への番組の記録が終了したことを認識する。そして、順番情報生成部３０４は、記録媒体２００の第１の情報記録層２０に予め記録されている順番情報生成アルゴリズムを取得し、その順番情報生成アルゴリズムに従って記録媒体２００に記録された番組の自動再生順番を表わす順番情報を生成する。その生成の際、順番情報生成部３０４は、記録媒体２００の第２の情報記録層４０の回数記録領域から各番組の再生回数を取得し、それら各番組の再生回数を上記の順番情報生成アルゴリズムに従い各種の統計処理を行ない、上記の順番情報を生成する。
【０１３３】
記録媒体２００は、第１の情報記録層２０に順番情報生成アルゴリズムが記録されている順番情報生成アルゴリズム記録領域を設けている。
【０１３４】
この順番情報は、記録媒体２００に記録されている各番組を自動的に再生するための自動再生順番を表わす情報である。この順番情報が表わす自動再生順番は、上で述べたように、各番組の再生回数を基に生成されるものであり、利用者の視聴要求の程度に沿った再生順番であるといえる。
【０１３５】
具体的には、順番情報生成部３０４は、上記の各種の統計処理を行なうことにより、例えば、記録媒体２００の番組記録領域に記録されている多数の番組の自動再生順番を各番組の再生回数の多い順とすることができる。利用者による再生回数が多ければ多いほど利用者が今後良く再生するであろう番組であると考えられるからである。
【０１３６】
一方、順番情報生成部３０４は、記録媒体２００の番組記録領域に記録されている多数の番組の自動再生順番を各番組の再生回数の少ない順にしてもよい。利用者による再生回数が少なければ少ないほど利用者が今後良く再生するであろう番組であると考えられる場合もあり得るからである。
【０１３７】
また、例えば記録媒体２００に記録されている番組に連続ドラマ番組があった場合、それら連続ドラマ番組については、利用者はその連続ドラマ番組の順番で再生したいと考える筈である。このような番組の共通性を考慮し、上記の順番情報を生成してもよい。このような番組の共通性等は上記の順番情報生成アルゴリズムに予め規定しておけばよい。
【０１３８】
要は、記録媒体２００に記録された各番組の再生回数を基に上記の順番情報を生成し、利用者の視聴要求の程度に沿った自動再生順番とすることができればよい。
【０１３９】
さらに、順番情報生成部３０４は、上で述べた順番情報を生成するときに、番組記録部３０１から利用者の嗜好に関する情報を取得してもよい。例えば記録媒体２００に記録された各番組が利用者により再生されることなく、記録媒体２００の番組記録領域の残存記録容量が上記の下限値以下となる場合があり得る。この場合、順番情報生成部３０４は、番組記録部３０１から取得した利用者の嗜好に関する情報を基に上記の順番情報を生成することができる。
【０１４０】
もちろん、順番情報生成部３０４は、記録媒体２００に記録された各番組が利用者により再生されている場合でも、上記の利用者の嗜好に関する情報を取得してもよい。この場合、順番情報生成部３０４は、各番組の再生回数と利用者の嗜好に関する情報とを基に上記の順番情報を生成すればよい。
【０１４１】
順番情報生成部３０４は、このようにして生成した順番情報を、記録媒体２００の第２の情報記録層４０に記録する。記録媒体２００は、第２の情報記録層４０に順番情報が記録される順番記録領域を設けている。
【０１４２】
また、順番情報生成部３０４は、上記の順番情報を生成したとき、その順番情報が生成されたということを特定情報記録部３０５に通知する。
【０１４３】
特定情報記録部３０５は、順番情報生成部３０４から上記の順番情報が生成されたとの通知を受けると、記録媒体２００の第２の情報記録層４０の順番記録領域に記録されている順番情報を取得する。そして、特定情報記録部３０５は、その順番情報が表わす自動再生順番を基に、記録媒体２００に記録されている各番組のうち、その番組を一意に特定する特定情報を記録媒体２００の表面から利用者が視認可能とすべき番組を選択する。
【０１４４】
具体的には、特定情報記録部３０５は、例えば自動再生順番の上位にある、つまり、利用者の視聴要求の程度の高いほうの番組を選択する。このような番組は、記録媒体２００に記録されている各番組のうち、利用者が今後最も良く再生するであろう番組である。したがって、このような番組を一意に特定する特定情報、例えば、その番組のタイトル等を記録媒体２００の表面から利用者が視認可能となるようにすることができれば、利用者は記録媒体２００に記録されている番組を容易に見つけることができる。
【０１４５】
特定情報記録部３０５は、このようにして特定情報を記録媒体２００の表面から利用者が視認可能となるようにすべき番組を選択すると、その番組の特定情報を記録媒体２００から取得する。
【０１４６】
そして、特定情報記録部３０５は、このようにして取得した特定情報を記録媒体２００の表面に利用者が視認可能となるように記録する。
【０１４７】
検知部３０６は、上で述べたような順番情報がその第２の情報記録層４０の順番記録領域に既に記録されている記録媒体２００からその順番情報を検知する。検知部３０６は、記録媒体２００から検知した順番情報が表わす自動再生順番を画像表示部５に表示させる。
【０１４８】
そして、検知部３０６は、指示入力部４から利用者による番組再生要求があった場合には、その番組再生要求に対応する番組の再生を記録再生実行部２に要求する。一方、検知部３０６は、指示入力部４から利用者による番組再生要求がなかった場合には、記録媒体２００から検知した順番情報が表わす自動再生順番に従う番組の再生を記録再生実行部２に要求する。
【０１４９】
（記録再生装置の動作）
次に、記録再生装置１の動作について説明する。図６〜図８は、記録再生装置１の動作を説明するためのフローチャートである。
【０１５０】
図６において、まず、記録再生装置１の記録再生実行部２に記録媒体２００が装着される（ステップＳ１０１）。
【０１５１】
次に、記録再生実行部２は、図３に示した記録媒体２００の管理情報領域１７０に含まれているＢＣＡ、ＰＩＣを再生する（ステップＳ１０２）。
【０１５２】
次に、記録再生実行部２は、上記のステップＳ１０２で再生されたＢＣＡ、ＰＩＣに自動編集処理の実行が可能であることを表わす識別子を検知することができなければ（ステップＳ１０３ＮＯ）、記録再生装置１の動作を終了する。なお、記録再生装置１は、通常の記録媒体に対する記録再生装置を行なってもよい。
【０１５３】
一方、記録再生実行部２は、上記の識別子を検知することができれば（ステップＳ１０３ＹＥＳ）、記録再生実行部２および記録再生制御部３は、記録媒体２００の第２の情報記録層４０の順番記録領域を再生する（ステップＳ１０４）。
【０１５４】
次に、記録媒体２００の第２の情報記録層４０の順番記録領域に順番情報が記録されていなければ（ステップＳ１０５ＮＯ）、記録再生実行部２および記録再生制御部３は、順番情報を生成する（ステップＳ１０６）。
【０１５５】
一方、記録媒体２００の第２の情報記録層４０の順番記録領域に順番情報が記録されていれば（ステップＳ１０５ＹＥＳ）、記録再生実行部２および記録再生制御部３は、記録媒体２００を自動再生する（ステップＳ１０７）。
【０１５６】
以下、最初に、上記のステップＳ１０６の順番情報の生成について説明し、次に、上記のステップＳ１０７の記録媒体２００の自動再生について説明する。
【０１５７】
図７において、記録再生実行部２および記録再生制御部３の番組記録部３０１は、記録媒体２００の第１の情報記録層２０の嗜好情報生成アルゴリズム記録領域から嗜好情報生成アルゴリズムを取得する（ステップＳ２０１）。本ステップＳ２０１においては、番組記録部３０１は、このようにして取得した嗜好情報生成アルゴリズムを、例えば記録再生装置１に設けられた一時記録部（図示省略）に記録すればよい。
【０１５８】
次に、番組記録部３０１は、その嗜好情報生成アルゴリズムに従い、画像表示部５に利用者の嗜好に関する情報を生成するための各種の質問等を表示させる（ステップＳ２０２）。本ステップＳ２０２において、利用者は画像表示部５に表示されている質問等に対し、指示入力部４を用いて自身の回答を入力する。
【０１５９】
次に、番組記録部３０１は、指示入力部４から入力される利用者からのその質問等に対する入力情報を上記の嗜好情報生成アルゴリズムに従い各種の統計処理を行ない、利用者の嗜好に関する情報を生成する（ステップＳ２０３）。
【０１６０】
次に、番組記録部３０１は、上記のステップＳ２０３において生成された利用者の嗜好に関する情報に基づき、複数の番組の中から利用者の嗜好に合った番組を選択し、記録媒体２００の第２の情報記録層４０の番組記録領域への記録を開始する（ステップＳ２０４）。
【０１６１】
本ステップＳ２０４においては、例えば、記録再生制御部３は、ＥＰＧ等のＴＶ番組情報を取得し、上記の利用者の嗜好に関する情報を基に、ＴＶ番組情報の中から利用者の嗜好に合った番組を選択し、それら番組を記録するための記録プログラムを生成すればよい。それら番組の記録が終了するたびに、記録再生制御部３の容量計算部３０３が記録媒体２００の第２の情報記録層４０の番組記録領域の残存記録容量を計算する。
【０１６２】
本ステップＳ２０４は、後述するステップＳ２０６において、容量計算部３０３が、記録媒体２００の第２の情報記録層４０の番組記録領域の残存記録容量が下限値以下となったと判断するまで繰り返される。
【０１６３】
次に、再生計数部３０２は、指示入力部４から入力される利用者からの番組再生要求を取得する。再生計数部３０２は、このような番組再生要求を取得し、その番組再生要求に対応する番組が、記録媒体２００に記録された後、何度再生されたかを計数する（ステップＳ２０５）。
【０１６４】
本ステップＳ２０５においては、再生計数部３０２は、このようにして計数された記録媒体２００に記録されている各番組の再生回数を、記録媒体２００の第２の情報記録層４０に記録する。再生計数部３０２は、上で述べた番組再生要求を取得するたびに、その番組の再生回数の更新を記録媒体２００に対して行なう。
【０１６５】
本ステップＳ２０５は、後述するステップＳ２０６において、容量計算部３０３が、記録媒体２００の第２の情報記録層４０の番組記録領域の残存記録容量が下限値以下となったと判断するまで繰り返される。
【０１６６】
次に、容量計算部３０３は、記録媒体２００の第２の情報記録層４０の番組記録領域の残存記録容量が下限値以下となったと判断する。そして、その判断結果を番組記録部３０１に出力する。番組記録部３０１は、この判断結果に基づき、記録媒体２００への番組の記録を終了する（ステップＳ２０６）。
【０１６７】
本ステップＳ２０６においては、番組記録部３０１は、記録媒体２００の第２の情報記録層４０の番組記録領域の残存記録容量が下限値以下となった旨を、画像表示部５に出力し、利用者にその旨を報知するようにしてもよい。そうすれば、利用者は例えばあと１時間で記録媒体２００の第２の情報記録層４０の番組記録領域の残存記憶容量がゼロになってしまうことを認識することができ、記録媒体２００を他の記録媒体２００に入れ替えを行なうことができる。このため、記録媒体２００の番組記録領域の残存記録容量不足による番組記録の失敗を回避することができる。
【０１６８】
次に、順番情報生成部３０４は、容量計算部３０３から上記の判断結果を受け取り、番組記録部３０１による記録媒体２００への番組の記録が終了したことを認識すると、記録媒体２００の第１の情報記録層２０に予め記録されている順番情報生成アルゴリズムを取得する（ステップＳ２０７）。本ステップＳ２０７においては、順番情報生成部３０４は、このようにして取得した順番情報生成アルゴリズムを、例えば記録再生装置１に設けられた一時記録部（図示省略）に記録すればよい。
【０１６９】
次に、順番情報生成部３０４は、その順番情報生成アルゴリズムに従って記録媒体２００に記録された番組の自動再生順番を表わす順番情報を生成する（ステップＳ２０８）。
【０１７０】
本ステップＳ２０８においては、順番情報生成部３０４は、記録媒体２００の第２の情報記録層４０の回数記録領域から各番組の再生回数を取得し、それら各番組の再生回数を上記の順番情報生成アルゴリズムに従い各種の統計処理を行ない、上記の順番情報を生成する。そして、順番情報生成部３０４は、このようにして生成した順番情報を、記録媒体２００の第２の情報記録層４０に記録する。
【０１７１】
次に、特定情報記録部３０５は、順番情報生成部３０４から上記の順番情報が生成されたとの通知を受けると、記録媒体２００の第２の情報記録層４０の順番記録領域に記録されている順番情報を取得する。そして、特定情報記録部３０５は、その順番情報が表わす自動再生順番を基に、記録媒体２００に記録されている各番組のうち、その番組を一意に特定する特定情報を記録媒体２００の表面から利用者が視認可能とすべき番組を選択する。特定情報記録部３０５は、このようにして特定情報を記録媒体２００の表面から利用者が視認可能となるようにすべき番組を選択すると、その番組の特定情報を記録媒体２００から取得する。そして、特定情報記録部３０５は、このようにして取得した特定情報を記録媒体２００の表面に利用者が視認可能となるように記録する（ステップＳ２０９）。図９に、このような特定情報が記録された記録媒体２００の表面を示す。
【０１７２】
次に、上記のステップＳ１０７の記録媒体２００の自動再生について説明する。
【０１７３】
図８において、先ず、検知部３０６は、上記の順番情報がその第２の情報記録層４０の順番記録領域に既に記録されている記録媒体２００からその順番情報を検知する（ステップＳ３０１）。
【０１７４】
本ステップＳ３０１においては、検知部３０６は、記録媒体２００から検知した順番情報が表わす自動再生順番を画像表示部５に表示させる。
【０１７５】
そして、検知部３０６は、指示入力部４から利用者による番組再生要求がなかった場合には（ステップＳ３０２ＮＯ）、記録媒体２００から検知した順番情報が表わす自動再生順番に従う番組の再生を記録再生実行部２に要求する（ステップＳ３０３）。
【０１７６】
一方、検知部３０６は、指示入力部４から利用者による番組再生要求があった場合には（ステップＳ３０２ＹＥＳ）、その番組再生要求に対応する番組の再生を記録再生実行部２に要求する（ステップＳ３０４）。
【０１７７】
（特定情報記録部）
次に、特定情報記録部３０５の動作について具体的に説明する。図１０は、特定情報記録部３０５の動作を説明するためのフローチャートである。
【０１７８】
図１０において、先ず、記録再生実行部２および記録再生制御部３の特定情報記録部３０５は、記録媒体２００の第１の情報記録層２０の所定の位置の初期アドレスを再生し、その再生時における光学ピックアップ１０２の記録媒体２００の半径方向の初期位置を記録する（ステップＳ４０１）。
【０１７９】
本ステップＳ４０１においては、特定情報記録部３０５は、上記の初期位置を例えば記録再生装置１に設けられた一時記録部（図示省略）に記録する。
【０１８０】
次に、記録再生実行部２および記録再生制御部３の特定情報記録部３０５は、上記の初期アドレスを再生できた時点から直後のディスク駆動モータ１０１のインデックス信号算出までの時間を測定する。そして、その算出結果とディスク駆動モータ１０１の回転速度とを基に、上記の初期位置とインデックスとの初期角度を算出する（ステップＳ４０２）。
【０１８１】
本ステップＳ４０２においては、特定情報記録部３０５は、上記の初期角度を例えば記録再生装置１に設けられた一時記録部（図示省略）に記録する。
【０１８２】
次に、記録再生実行部２および記録再生制御部３の特定情報記録部３０５は、上記の初期位置から所定の距離だけ離れた半径方向の第２次位置に光学ピックアップ１０２を移動させる（ステップＳ４０３）。
【０１８３】
次に、記録再生実行部２および記録再生制御部３の特定情報記録部３０５は、上記のステップＳ４０３において光学ピックアップ１０２が移動した位置から上記の初期角度だけ回転した位置のアドレスを再生し、その再生時における光学ピックアップ１０２の記録媒体２００の半径方向の第３次位置を記録する（ステップＳ４０４）。
【０１８４】
次に、記録再生実行部２および記録再生制御部３の特定情報記録部３０５は、光学ピックアップ１０２の第３次位置が上記の第２次位置より、記録媒体２００の半径方向における内周側にあれば（ステップＳ４０５ＹＥＳ）、上記のステップＳ４０３に戻る。一方、光学ピックアップ１０２の第３次位置が上記の第２次位置より、記録媒体２００の半径方向における外周側にあれば（ステップＳ４０５ＮＯ）、下記のステップＳ４０６に進む。
【０１８５】
次に、記録再生実行部２および記録再生制御部３の特定情報記録部３０５は、上記の初期位置および初期角度を基に、記録媒体２００の第１の情報記録層２０のアドレスマップを作成する（ステップＳ４０６）。本ステップＳ４０６においては、記録再生実行部２および記録再生制御部３の特定情報記録部３０５は、初期位置から初期角度だけ回転した第３次位置との間のアドレスを補完し、上記のアドレスマップを作成する。
【０１８６】
次に、記録再生実行部２および記録再生制御部３の特定情報記録部３０５は、特定情報を記録媒体２００の第１の情報記録層２０上に記録するための記録光を照射すべき照射アドレスを決定する（ステップＳ４０７）。
【０１８７】
本ステップＳ４０７においては、特定情報記録部３０５は、特定情報記録部３０５により選択された番組の特定情報と上記のステップＳ４０６において作成されたアドレスマップとを基に、上記の照射アドレスを決定する。また、特定情報記録部３０５は、上記の照射アドレスを例えば記録再生装置１に設けられた一時記録部（図示省略）に記録する。
【０１８８】
次に、記録再生実行部２および記録再生制御部３の特定情報記録部３０５は、上記の初期位置に光学ピックアップ１０２を移動させる。そして、レーザ制御回路１０３は、光学ピックアップ１０２内の半導体レーザ発振器１０２ｆを駆動し、半導体レーザ発振器１０２ｆからレーザ光を発生させ、記録媒体２００に記録光を照射する（ステップＳ４０８）。
【０１８９】
本ステップＳ４０８においては、記録媒体２００にこのような記録光が照射されることにより、その照射位置の反射率を低下させ、そうすることにより、上記の特定情報が記録媒体２００の表面から利用者が視認可能となるように記録されることになる。
【０１９０】
次に、記録再生実行部２および記録再生制御部３の特定情報記録部３０５は、次に記録光を照射すべき照射アドレスがあれば（ステップＳ４０９ＹＥＳ）、上記のステップＳ４０８に戻る。一方、次に記録光を照射すべき照射アドレスがなければ（ステップＳ４０９ＮＯ）、特定情報記録部３０５の動作は終了する。
【０１９１】
最後に、記録再生制御部３は、ハードウェアロジックによって構成してもよいし、次のようにＣＰＵを用いてソフトウェアによって実現してもよい。
【０１９２】
すなわち、記録再生制御部３は、各機能を実現する制御プログラムの命令を実行するＣＰＵ（central processing unit）、前記プログラムを格納したＲＯＭ（read only memory）、前記プログラムを展開するＲＡＭ（random access memory）、前記プログラムおよび各種データを格納するメモリ等の記憶装置（記録媒体）などを備えている。そして、本発明の目的は、上述した機能を実現するソフトウェアである記録再生制御部３の制御プログラムのプログラムコード（実行形式プログラム、中間コードプログラム、ソースプログラム）をコンピュータで読み取り可能に記録した記録媒体を、記録再生制御部３に供給し、そのコンピュータ（又はＣＰＵやＭＰＵ）が記録媒体に記録されているプログラムコードを読み出し実行することによっても、達成可能である。
【０１９３】
前記記録媒体としては、例えば、磁気テープやカセットテープ等のテープ系、フロッピー（登録商標）ディスク／ハードディスク等の磁気ディスクやコンパクトディスク−ＲＯＭ／ＭＯ／ＭＤ／デジタルビデオデイスク／コンパクトディスク−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０１９４】
また、記録再生制御部３を通信ネットワークと接続可能に構成し、前記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、前記プログラムコードが電子的な伝送で具現化された、搬送波に埋め込まれたコンピュータデータ信号の形態でも実現され得る。
【０１９５】
なお、本発明は、上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【０１９６】
なお、本発明は、以下のようにも表現することができる。すなわち、本発明に係る光情報記録媒体は、光を照射することによって情報が記録される光情報記録媒体であって、コンテンツが記録されるコンテンツ記録領域と、記録されているコンテンツを再生した回数をコンテンツ毎に記録する再生回数記録領域と、再生回数記録領域に記録された情報を用いて決定される自動的にコンテンツを再生する再生順番情報を記録する自動再生順情報記録領域を有する。
【０１９７】
上記コンテンツ記録領域に記録されるコンテンツを自動的に選択するための自動選択プログラムが記録されていることが好ましい。
【０１９８】
再生のみ可能な情報記録層と情報の書き換えが可能な情報書き換え層を有し、且つ上記自動選択プログラムが上記再生のみ可能な情報記録層に記録されていることが好ましい。
【０１９９】
本発明に係る記録再生装置は、上記の光情報記録媒体を用いて情報の記録再生する光情報記録媒体記録再生装置であって、光情報記録媒体に記録されたコンテンツを再生した後、上記再生回数記録領域に、再生したコンテンツ毎に、再生した回数を記録する手段と、上記再生回数記録領域に記録された情報を元に、上記自動再生順情報記録領域に上記再生順番情報を記録する手段を有する。
【０２００】
本発明に係る記録再生装置は、上記の光情報記録媒体を用いて情報の再生する再生装置であって、上記コンテンツ記録領域に記録されているコンテンツを上記自動再生順情報記録領域に記録された上記再生順番情報にしたがって、順に自動再生する手段を有している。
【０２０１】
本発明に係る記録再生装置は、上記の光情報記録媒体を用いて情報の記録再生する光情報記録媒体記録再生装置であって、書き換え層の空き容量が所定の値になった場合、上記再生回数記録領域と、上記再生回数記録領域に記録された情報より、選択した情報を上記再生専用層に、目視レベルでの確認が可能な表示状態で記録する手段を有する。
【産業上の利用可能性】
【０２０２】
以上のように、本発明の記録再生装置およびそれに用いられる記録媒体は、利用者に煩雑な作業を求めること無く、利用者の視聴要求の程度に沿ってコンテンツを記録し、且つ、自動再生することを可能にする。したがって、本発明は、ＨＤＤまたはその他の記録媒体を内蔵する記録再生装置に関連する産業分野に好適に用いることができる。
【符号の説明】
【０２０３】
１    記録再生装置
２    記録再生実行部
３    記録再生制御部
４    指示入力部
５    画像表示部
２０    第１の情報記録層
４０    第２の情報記録層
２００    記録媒体
３０１    番組記録部（コンテンツ記録部）
３０２    再生計数部（再生計数部、回数記録部）
３０３    容量計算部
３０４    順番情報生成部（情報生成部、順番記録部）
３０５    特定情報記録部（特定情報記録部、特定情報取得部）
３０６    検知部
【図１】
2011216167.tif 000003
【図２】
2011216167.tif 000004
【図３】
2011216167.tif 000005
【図４】
2011216167.tif 000006
【図５】
2011216167.tif 000007
【図６】
2011216167.tif 000008
【図７】
2011216167.tif 000009
【図８】
2011216167.tif 000010
【図９】
2011216167.tif 000011
【図１０】
2011216167.tif 000012